(57)【要約】【課題】ハウジング２１に取り付けられる取付部２と、軸２３の周面に摺動自在に密接するシールリップ４とを有するオイルシール１において、シールリップ４の摺動部に対する潤滑油の供給機能を高めることができ、もってシールリップ４の耐久性を向上させることが可能なオイルシール１を提供する。【解決手段】取付部２の先端部位に、付着する油を集めて軸２３上へ滴下させる潤滑油補給部１１を設ける。潤滑油補給部１１は、取付部２の内周面に円周上複数設けられた突起１２を有し、突起１２の表面にて油を集める。突起１２の表面には、油を一時的に貯える凹部１３、または油を集中させるガイド突起もしくは傾斜面を設ける。また取付部２の先端面２ａに、該先端面２ａ上を円周方向に沿って流下する油を堰き止めて突起１２の方へ案内する堰部を設ける。【選択図】図３
2007309509.tif 000002
【特許請求の範囲】
【請求項１】
ハウジングに取り付けられる環状の取付部と、軸の周面に摺動自在に密接するシールリップとを有するオイルシールにおいて、
前記取付部の先端部位に、付着する油を集めて前記軸上へ滴下させる潤滑油補給部を有することを特徴とするオイルシール。
【請求項２】
ハウジングに取り付けられる環状の取付部と、軸の周面に摺動自在に密接するシールリップとを有するオイルシールにおいて、
前記取付部の先端部位に、付着する油を集めて前記軸とシールリップとの摺動部へ供給する潤滑油補給部を有することを特徴とするオイルシール。
【請求項３】
請求項１または２記載のオイルシールにおいて、
潤滑油補給部は、取付部の内周面に円周上複数設けられた突起を有し、前記突起の表面にて油を集めることを特徴とするオイルシール。
【請求項４】
請求項３記載のオイルシールにおいて、
突起の表面に、油を一時的に貯えるための凹部を設けたことを特徴とするオイルシール。
【請求項５】
請求項３記載のオイルシールにおいて、
突起の表面に、油を集中させるためのガイド突起を設けたことを特徴とするオイルシール。
【請求項６】
請求項３記載のオイルシールにおいて、
突起の表面に、油を集中させるための傾斜面を設けたことを特徴とするオイルシール。
【請求項７】
請求項３記載のオイルシールにおいて、
突起の先端面を取付部の先端面と段差なく面一状に設定したことを特徴とするオイルシール。
【請求項８】
請求項３記載のオイルシールにおいて、
突起の先端面の内周縁を円弧状でなく前記円弧の両端を結ぶストレート状に設定したことを特徴とするオイルシール。
【請求項９】
請求項３記載のオイルシールにおいて、
取付部の先端面に、前記取付部の先端面上を円周方向に沿って流下する油を堰き止めて突起の方へ案内するための堰部を設けたことを特徴とするオイルシール。
【請求項１０】
請求項３記載のオイルシールにおいて、
シールリップの外周部位に油伝い片を径方向外方へ向けて一体成形し、突起に集められる油を前記油伝い片を介してシールリップの方へ案内することを特徴とするオイルシール。
【発明の詳細な説明】
【技術分野】
【０００１】
本発明は、密封装置の一種であるオイルシールに係り、更に詳しくは、シールリップ摺動部に対する潤滑油の供給機能を高めるようにしたオイルシールに関するものである。本発明のオイルシールは例えば、自動車関連分野において用いられ、またはその他の汎用機械等において用いられる。
【背景技術】
【０００２】
例えば図２２に示すように従来から、ハウジング（図示せず）に取り付けられる環状の取付部５２と、前記ハウジングの軸孔内周に挿通した軸（図示せず）の周面に摺動自在に密接するシールリップ５３とを一体に有するオイルシール５１が広く知られており、この種のオイルシール５１においては、所定のゴム状弾性体よりなるシールリップ５３の耐久性を向上させるべくその摺動摩耗を低減させるよう、シールリップ摺動部５４に潤滑油を供給する必要がある。しかしながら密封対象油が例えばミスト状に存在するような場合には、シールリップ摺動部が貧潤滑状態となりやすく、早期摩耗や発熱等によってシール寿命が著しく短くなる虞がある。
【０００３】
【特許文献１】特開２００５−２８２８４１号公報
【特許文献２】特開２００３−０５６７１８号公報
【発明の開示】
【発明が解決しようとする課題】
【０００４】
本発明は以上の点に鑑みて、シールリップ摺動部に対する潤滑油の供給機能を高めることができ、もってシールリップの耐久性を向上させることが可能なオイルシールを提供することを目的とする。
【課題を解決するための手段】
【０００５】
上記目的を達成するため、本発明の請求項１によるオイルシールは、ハウジングに取り付けられる環状の取付部と、軸の周面に摺動自在に密接するシールリップとを有するオイルシールにおいて、前記取付部の先端部位に、付着する油を集めて前記軸上へ滴下させる潤滑油補給部を有することを特徴とする。
【０００６】
また、本発明の請求項２によるオイルシールは、ハウジングに取り付けられる環状の取付部と、軸の周面に摺動自在に密接するシールリップとを有するオイルシールにおいて、前記取付部の先端部位に、付着する油を集めて前記軸とシールリップとの摺動部へ供給する潤滑油補給部を有することを特徴とする。
【０００７】
また、本発明の請求項３によるオイルシールは、上記した請求項１または２記載のオイルシールにおいて、潤滑油補給部は、取付部の内周面に円周上複数設けられた突起を有し、前記突起の表面にて油を集めることを特徴とする。
【０００８】
また、本発明の請求項４によるオイルシールは、上記した請求項３記載のオイルシールにおいて、突起の表面に、油を一時的に貯えるための凹部を設けたことを特徴とする。
【０００９】
また、本発明の請求項５によるオイルシールは、上記した請求項３記載のオイルシールにおいて、突起の表面に、油を集中させるためのガイド突起を設けたことを特徴とする。
【００１０】
また、本発明の請求項６によるオイルシールは、上記した請求項３記載のオイルシールにおいて、突起の表面に、油を集中させるための傾斜面を設けたことを特徴とする。
【００１１】
また、本発明の請求項７によるオイルシールは、上記した請求項３記載のオイルシールにおいて、突起の先端面を取付部の先端面と段差なく面一状に設定したことを特徴とする。
【００１２】
また、本発明の請求項８によるオイルシールは、上記した請求項３記載のオイルシールにおいて、突起の先端面の内周縁を円弧状でなく前記円弧の両端を結ぶストレート状に設定したことを特徴とする。
【００１３】
また、本発明の請求項９によるオイルシールは、上記した請求項３記載のオイルシールにおいて、取付部の先端面に、前記取付部の先端面上を円周方向に沿って流下する油を堰き止めて突起の方へ案内するための堰部を設けたことを特徴とする。
【００１４】
更にまた、本発明の請求項１０によるオイルシールは、上記した請求項３記載のオイルシールにおいて、シールリップの外周部位に油伝い片を径方向外方へ向けて一体成形し、突起に集められる油を前記油伝い片を介してシールリップの方へ案内することを特徴とする。
【００１５】
上記構成を有する本発明の請求項１によるオイルシールにおいては、当該オイルシールの取付部の先端部位に潤滑油補給部が設けられ、この潤滑油補給部が付着する油を集めて軸上へ滴下させるものとされているために、この滴下される油によってシールリップ摺動部を潤滑することが可能とされている。また本発明の請求項２によるオイルシールにおいては、当該オイルシールの取付部の先端部位に潤滑油補給部が設けられ、この潤滑油補給部が付着する油を集めて軸とシールリップとの摺動部へ供給するものとされているために、この供給される油によってシールリップ摺動部を潤滑することが可能とされている。この請求項１に係る発明と請求項２に係る発明は何れもシールリップ摺動部へ潤滑油を補給する点で同じであるが、請求項１では、油は潤滑油補給部から軸上へ滴下され、軸上からシールリップ摺動部へ供給される。これに対して請求項２では、請求項１と同じ供給経路のほかに、油が潤滑油補給部からシールリップを伝ってシールリップ摺動部へ供給される場合が含まれる。
【００１６】
潤滑油補給部は、密封対象空間中にミスト状に存在する油を当該補給部の表面に付着させ、これを集めて油滴としてシールリップ摺動部へ供給する。したがって潤滑油補給部の具体的構成としては、油の付着面積を大きく確保するよう取付部の内周面に突起を設け、この突起の表面にて油を集めるのが好ましい。但し、突起はこれをオイルシールの全周に亙って環状に設定すると、集めた油が突起の表面を伝って円周方向へ流れて行ってしまい滴下されないことが懸念されるので、これを防止すべく突起はこれをオイルシールの円周上複数に分割して設けるのが好ましい。この場合、油は突起単位で集められ、複数の突起のうち軸の上方に配置される突起で集められる油が軸上へ滴下されることになる。
【００１７】
突起は、所定の体積を有する形状であるので、その表面にて油付着面積を拡大するのに有効な構造である。オイルシールの取付部の内周面に突起を円周上複数設ける場合、突起はそれぞれ一般に軸方向に長い形状とされて軸方向端面（先端面）を有し、この軸方向端面が密封対象空間に面することになるので、この軸方向端面に特に多くの油が付着する。またオイルシールの取付部の軸方向端面に付着する油が突起に伝って来ることがあり、オイルシールを装着するハウジングの形状によってはハウジングの表面に付着する油がオイルシールの取付部を経由して突起に伝って来ることもある。したがって何れにしても少しでも多くの油を集められるよう、以下のような構造を付設するのが好適である。
【００１８】
突起の表面に、油を一時的に貯えるための凹部を設ける（請求項４）。これによれば凹部内部の空間に油が貯留されるので、より多くの油を集めることが可能となる。
【００１９】
突起の表面に、油を集中させるためのガイド突起を設ける（請求項５）。これによればガイド突起に沿って油が集束するので、より多くの油を集めることが可能となる。
【００２０】
突起の表面に、油を集中させるための傾斜面を設ける（請求項６）。これによれば傾斜面に沿って油が集束するので、より多くの油を集めることが可能となる。
【００２１】
突起の先端面を取付部の先端面と段差なく面一状に設定する（請求項７）。突起の先端面と取付部の先端面の間（境界）に段差があると、この段差に油の流れが阻害されて油が取付部の先端面から突起の先端面へ伝わりにくいことが懸念されるが、突起の先端面を取付部の先端面と面一状に設定することにより油が取付部の先端面から突起の先端面へ伝わりやすくなるので、より多くの油を集めることが可能となる。
【００２２】
突起の先端面の内周縁を円弧状でなく前記円弧の両端を結ぶストレート状に設定する。すなわち突起の先端面の内周縁をオイルシールの中心軸線を中心とする円弧状に設定するのではなく、前記円弧の両端を直線で結んだ形状のストレート形状に設定する（請求項８）。これによれば突起の先端面の内周縁を円弧状に設定する場合よりも突起の先端面の表面積が大きく設定されるので、より多くの油を集めることが可能となる。
【００２３】
取付部の先端面に、この取付部の先端面上を円周方向に沿って流下する油を堰き止めて突起の方へ案内するための堰部を設ける（請求項９）。軸の上方（真上）以外の部位においては、取付部の先端面に付着する油が突起の方へ流れず取付部の先端面上を円周方向に伝って流れていってしまうことが懸念されるが、この流路上に堰部を設けることにより油が取付部から突起へ伝わりやすくなるので、より多くの油を集めることが可能となる。
【００２４】
更にまた、上記突起を補助するものとして、シールリップの外周部位に油伝い片を径方向外方へ向けて一体成形すると、突起に集められる油がこの油伝い片を伝ってシールリップの方へ案内されることから、突起からシールリップ摺動部への油の供給を円滑化することが可能となる（請求項１０）。一般に油伝い片はリップ状に成形され、その機能からして薄膜で良いので成形上のバリを利用することも可能である。
【発明の効果】
【００２５】
本発明は、以下の効果を奏する。
【００２６】
すなわち、本発明の請求項１によるオイルシールにおいては上記したように、取付部の先端部位に潤滑油補給部が設けられ、この潤滑油補給部が付着する油を集めて軸上へ滴下させるように構成されているために、この滴下される油をシールリップ摺動部へ供給し、これによりシールリップ摺動部を潤滑することが可能とされている。したがって本発明所期の目的どおり、シールリップ摺動部に対する潤滑油の供給機能を高めることができ、これによりシールリップの耐久性を向上させることができる。
【００２７】
また、本発明の請求項２によるオイルシールにおいては、取付部の先端部位に潤滑油補給部が設けられ、この潤滑油補給部が付着する油を集めて軸とシールリップとの摺動部へ供給するように構成されているために、この油をシールリップ摺動部へ供給し、これによりシールリップ摺動部を潤滑することが可能とされている。したがって本発明所期の目的どおり、シールリップ摺動部に対する潤滑油の供給機能を高めることができ、これによりシールリップの耐久性を向上させることができる。
【００２８】
また、本発明の請求項３によるオイルシールにおいては、上記請求項１または２における潤滑油補給部として取付部の内周面に突起が設けられ、この突起の表面にて油を集めるように構成されているために、多くの油を集めて軸上へ滴下または摺動部へ供給することが可能とされている。また、突起が円周上複数設けられているために、軸の上方に配置される突起から軸上または摺動部へと油を確実に滴下・供給することができる。
【００２９】
また、本発明の請求項４によるオイルシールにおいては、突起の表面に凹部が設けられているために、この凹部で油を一時的に貯えることにより、より多くの油を集めることができる。
【００３０】
また、本発明の請求項５によるオイルシールにおいては、突起の表面にガイド突起が設けられているために、このガイド突起で油を集中させることにより、より多くの油を集めることができる。
【００３１】
また、本発明の請求項６によるオイルシールにおいては、突起の表面に傾斜面が設けられているために、この傾斜面で油を集中させることにより、より多くの油を集めることができる。
【００３２】
また、本発明の請求項７によるオイルシールにおいては、突起の先端面が取付部の先端面と段差なく面一状に設定されているために、油が取付部の先端面から突起へと伝わりやすくなり、よってより多くの油を集めることができる。
【００３３】
また、本発明の請求項８によるオイルシールにおいては、突起の先端面の内周縁が円弧状でなく円弧の両端を結ぶストレート状に設定されているために、油が付着しやすい突起の先端面の表面積を大きく設定することができ、よってより多くの油を集めることができる。
【００３４】
また、本発明の請求項９によるオイルシールにおいては、取付部の先端面に堰部が設けられているために、油が取付部の先端面から突起へと伝わりやすくなり、よってより多くの油を集めることができる。
【００３５】
更にまた、本発明の請求項１０によるオイルシールにおいては、上記突起を補助するものとしてシールリップの外周部位に油伝い片が径方向外方へ向けて一体成形されているために、突起からこの油伝い片およびシールリップを経由してシールリップ摺動部へと油が確実に供給される。したがって油の供給を一層円滑化することができる。
【発明を実施するための最良の形態】
【００３６】
尚、本発明には、以下の実施形態が含まれる。
（Ａ）取付筒部が機器のハウジングの内周面に密嵌され、この取付筒部の内周から密封対象空間側へ向けて延在されたシールリップの先端近傍の内周部が、前記ハウジングに挿通された軸の外周面に摺動可能に密接され、軸心が横向きのオイルシールにおいて、前記取付筒部の内周に、液を保持し前記シールリップの先端部の正面に滴下させる集液突起が形成されたことを特徴とするオイルシール。
（Ｂ）集液突起が多数のフィンからなり、各フィン間に毛細管現象により液を保持するものであることを特徴とする上記（Ａ）に記載のオイルシール。
（Ｃ）集液突起の下面が、液の滴下位置をシールリップの先端部の正面と対応する位置に規定する傾斜面をなすことを特徴とする上記（Ａ）に記載のオイルシール。
（Ｄ）集液突起に、液の滴下位置をシールリップの先端部の正面と対応する位置に誘導する案内溝、案内突条又はダム部が形成されたことを特徴とする上記（Ａ）に記載のオイルシール。
（Ｅ）シールリップに、集液突起から滴下した液を受けて前記シールリップの先端部の正面へ誘導する液受け突起が形成されたことを特徴とする上記（Ａ）に記載のオイルシール。
【実施例】
【００３７】
つぎに本発明の実施例を図面にしたがって説明する。
【００３８】
第一実施例・・・
図１は、本発明の第一実施例に係るオイルシール１を軸方向一方から見た半裁正面図を示しており、そのＡ−Ａ線断面図が図２に示されるとともに、Ｂ−Ｂ線断面図が図３に示されている。図４は潤滑油補給部１１の斜視図である。
【００３９】
当該実施例に係るオイルシール１は、ハウジング２１（図３）に取り付けられる環状の取付部２と、ハウジング２１の軸孔２２内周に挿通した軸（回転軸）２３（図３）の周面に摺動自在に密接するシールリップ４とを有するオイルシール１において、取付部２の先端部位に、付着する油を集めて軸２３上へ滴下させる潤滑油補給部１１を設けたものであり、また、付着する油を集めて軸２３とシールリップ４との摺動部へ供給する潤滑油補給部１１を設けたものである。潤滑油補給部１１は、取付部２の内周面に円周上複数設けられた突起１２よりなり、突起１２の表面に油を付着させて油を集めるものとされている。突起１２の表面には、付着した油を一時的に貯えるための凹部１３が設けられており、また同じく突起１２の表面には、付着した油を集中させるための傾斜面（突起１２の内周面１２ｂ）が設けられている。
【００４０】
各部ないし各部品の詳細は、以下のように設定されている。
【００４１】
すなわち先ず、当該オイルシール１をハウジング２１の軸孔２２内周に取り付けるための環状の取付部２が設けられており、この取付部２の内周側に環状の連結部（シールリップ保持部）３を介して、軸２３の周面に摺動自在に密接する環状のシールリップ４が設けられている。連結部３から見て、取付部２は軸方向一方（図３における右方であってすなわち機内側）へ向けて設けられ、シールリップ４も同じ軸方向一方へ向けて設けられている。また当該オイルシール１はその構成部品として、金属環５と、この金属環５に被着されたゴム状弾性体６と、このゴム状弾性体６の一部であるシールリップ４に嵌着されたガータースプリング７とを有している。
【００４２】
金属環５は、ハウジング２１の軸孔２２内周に嵌合される筒状部５ａと、この筒状部５ａの軸方向他方（図３における左方であってすなわち機外側）の端部に径方向内方へ向けて一体成形されたフランジ部５ｂとを一体に有している。ゴム状弾性体６は、金属環５の筒状部５ａの外周面に被着されて金属環５およびハウジング２１間をシールする外周面被着部（外周シール部）６ａと、筒状部５ａの先端面に被着された先端面被着部６ｂと、筒状部５ａの内周面に被着された内周面被着部６ｃと、フランジ部５ｂの軸方向一方の端面（内側端面）に被着された内側端面被着部６ｄと、フランジ部５ｂの内周端に被着された内周端被着部６ｅと、フランジ部５ｂの軸方向他方の端面（外側端面）に被着された外側端面被着部６ｆとを一体に有し、更に上記シールリップ４とサブリップ８とが一体に成形されている。
【００４３】
また、当該オイルシール１には特に、上記取付部２の軸方向先端部位であってその内周側に、当該潤滑油補給部１１に付着する油を集めて軸２３の周面上へ滴下させるための潤滑油補給部１１が設けられている。
【００４４】
この潤滑油補給部１１は、上記取付部２の内周面に設けられた複数の突起１２よりなり、各突起１２の表面、特に軸方向先端面１２ａにミスト状の油を付着させ、付着した油を集め、軸２３の上方に配置される突起１２において、集めた油を油滴としてその重力落下により軸２３の周面上に滴下させるように構成されている。
【００４５】
突起１２は、複数（当該実施例では図１に示すように４箇所）が等配状に設けられており、突起１２間には円周方向の間隔が設定されている。図では突起１２は４等配とされているがこれに限らず、４〜１６等配程度が好適である。突起１２はそれぞれゴム状弾性体６の一部として成形されており、先端面被着部６ｂおよび内周面被着部６ｃの内周面に一体成形されている。突起１２は径方向内方へ向けて突出形成され、かつ軸方向に長いリブ状に形成されている。
【００４６】
突起１２の軸方向先端面１２ａには、付着した油を一時的に貯えるための凹部１３が設けられており、また突起１２の内周面１２ｂには、付着した油を集中させるための傾斜面が設けられている。後者の傾斜面は、軸２３の上方に配置される突起１２において、その内周面１２ｂに付着する油やこの内周面１２ｂに流れてきた油を突起１２の先端面１２ａの内周縁に集めるものであって、このため同内周縁へ向けて下り勾配の傾斜面（アンダーカット状の円錐状傾斜面）が設定されている。したがって油は、この傾斜面を伝って先端面１２ａの内周縁に集められ、先端面１２ａの方から流れてきた油と合流のうえ、ここから滴下されることになる。潤滑油補給部１１の軸方向先端部すなわち突起１２の軸方向先端面１２ａは、油をシールリップ４上ではなく軸２３の周面上へ直接滴下させることができるよう、シールリップ４の軸方向先端面４ａよりも軸方向一方へ突出して形成されている。
【００４７】
上記構成のオイルシール１は、図３に示すようにハウジング２１および軸２３間に装着されて、機内側の油をシールするものであって、上記構成により以下の作用効果を奏する点に特徴を有している。
【００４８】
すなわち、上記構成のオイルシール１においては上記したように、取付部２の先端部位に潤滑油補給部１１が設けられ、この潤滑油補給部１１が、付着する油を集めて軸２３の周面上へ滴下させるように構成されているために、この滴下される油によってシールリップ４の摺動部を潤滑することが可能とされている。したがって、シールリップ４の摺動部に対する潤滑油の供給機能を高めることができ、これによりシールリップ４の耐久性を向上させることができる。
【００４９】
また、潤滑油補給部１１に突起１２および凹部１３が設けられているために、突起１２で油の集積面積を拡大し、凹部１３で、集めた油を一時的に貯えることが可能とされている。したがって、多くの油を集めてこれを軸２３の周面上へ滴下させることができる。
【００５０】
また、突起１２が円周上複数設けられて突起１２ごとに凹部１３が設けられているために、突起１２や凹部１３が全周に亙って環状に形成される場合のように油が突起１２や凹部１３を伝って流れてしまうのを防止することが可能とされている。したがってこの点からも、多くの油を集めてこれを軸２３の周面上へ滴下させることができる。
【００５１】
また、複数の突起１２が円周上等配状に設けられているために、複数の突起１２のうちの何れかの突起１２は必ず軸２３の上方に配置され、油を確実に軸２３の周面上へ滴下させることが可能とされている。したがって、オイルシール１の装着につき円周方向の方向性が限定されないために、円周上部分的な突起１２を設けることにしてもオイルシール１の装着作業性が低下することはない（突起１２を円周上一箇所のみに設けた場合にはこの突起１２が軸２３の上方に配置されるようオイルシール１の装着につき円周方向の方向性が限定されてしまうが、本発明によれば、複数の突起１２が円周上等配状に設けられているために、特に装着の方向に意を介さなくても何れかの突起１２を軸２３の上方に配することができる。この効果を充分に得るには、突起１２は４等配以上の設置数であることが望ましい）。
【００５２】
尚、図４の斜視図は、凹部１３の形状の一例を示しており、この図４において凹部１３は円周方向に長い溝状に形成されている。この溝状の凹部１３はその円周方向中央が最も深く、円周方向の両側へかけて徐々に浅くなる形状とされている。但し、この形状は単なる一例に過ぎずこれに限定されないものであって、凹部１３は例えば以下のようなものであっても良い。
【００５３】
第二実施例・・・
図５および図６に示すように、突起１２の先端面１２ａに溝状の凹部１３を設けるとともにこれに加えて突起１２の先端面１２ａであって凹部１３の内周側の幅方向中央部位に切欠状を呈する油の注ぎ口（凹状注ぎ口）１４を設ける。この構成によると、凹部１３に貯えられた油が切欠状の注ぎ口１４から軸２３上へ滴下されることになり、注ぎ口１４の切欠の大きさ如何によって、滴下される油滴Ｕの大きさ等を管理できるメリットがある。尚、この図５および図６の例では、突起１２の先端面１２ａが取付部２の先端面２ａと段差なく面一状に設定されていることからも、多くの油を集めることが可能とされている。
【００５４】
第三実施例・・・
図７および図８に示すように、突起１２を多数（図では１１枚）の平行フィン（薄板状突起）１５によって形成し、互いに隣り合うフィン１５間の間隙（間隙空間）を油貯め用の凹部１３として利用する。この場合、フィン１５間の間隙すなわち凹部１３は軸方向一方に開口するとともに径方向内方にも開口したものとなる。フィン１５間の間隙すなわち凹部１３の大きさ如何によっては該部に毛細管現象が発生するので、油を多量に貯えられる等のメリットがある。フィン１５間の間隙すなわち凹部１３の軸方向他方の側には、この方向への油の流れを堰き止めるために奥端壁（軸方向端壁）１３ａが設けられている。またこの図７および図８の例では、突起１２すなわち各フィン１５の内周面１２ｂに上記第一実施例と同様の、付着した油を集中させるための傾斜面が設けられていることからも多くの油を集めることが可能とされている。
【００５５】
尚、当該実施例のように潤滑油補給部１１が多数のフィン１５よりなる場合には、フィン１５に付着しフィン１５間の間隙すなわち凹部１３に貯えられた油は当該オイルシール１の円周方向に流れにくいので（フィン１５から隣のフィン１５へもしくは凹部１３から隣の凹部１３へと伝うようには流れにくいので）、フィン１５はこれをオイルシール１の全周に亙って万遍なく設定することも考えられる。この場合、フィン１５はオイルシール１の全周に亙って一定の周方向間隔（ピッチ）で放射状に配置されることになる。
【００５６】
また、上記第一ないし第三実施例のほか、突起１２の表面に多くの油を集めて油滴として滴下しやすくするには、以下の構造が有効である。
【００５７】
第四実施例・・・
図９および図１０に示すように、突起１２の先端面１２ａに、油を集中させるためのガイド突起１６を設ける。この図９および図１０の例では、突起１２の先端面１２ａにリブ状のガイド突起１６が複数（図では３本）設けられ、互いに隣り合うガイド突起１６間の間隔が径方向内方へ向けて漸次狭くなるように設定されている。したがってこの構造によると、突起１２の先端面１２ａに付着した油がガイド突起１６に沿って流れて徐々に集束するので、より多くの油を集めることが可能とされている。尚、この図９および図１０の例では、突起１２の先端面１２ａの内周縁が円弧状でなく円弧の両端を結ぶストレート状に設定され、突起１２の先端面１２ａが取付部２の先端面２ａと段差なく面一状に設定され、また各ガイド突起１６の外周端部が突起１２の先端面１２ａからはみ出して取付部２の先端面２ａまで達している（ガイド突起１６の外周端部が請求項９記載の堰部を構成している）ことからも、多くの油を集めることが可能とされている。
【００５８】
第五実施例・・・
図１１および図１２に示すように、突起１２の先端面１２ａに、油を集中させるためのガイド突起１７，１８を設ける。この図１１および図１２の例では、突起１２の先端面１２ａの内周縁に沿ってガイド突起（一段目ガイド突起）１７が軸方向一方へ向けて突出形成され、その幅方向中央に比較的幅狭のガイド突起（二段目ガイド突起、凸状注ぎ口）１８が同じく軸方向一方へ向けて突設され、この軸方向二段に亙るガイド突起１７，１８によって油を段階的に集束させることが可能とされている。図上、突起１２はこれを軸方向一方から見て略半円形（径方向内方へ向けて凸状の半円形）に形成されているので、その先端面１２ａの内周縁に沿って設けられた一段目ガイド突起１７は略円弧状に形成され、この円弧状の一段目ガイド突起１７の円弧の中央部位に二段目ガイド突起１８が設けられている。円弧は油が溜まりやすい形状である。尚、この図１１および図１２の例では、突起１２の内周面１２ｂに第一実施例と同様の、付着した油を集中させるための傾斜面が設けられ、突起１２の先端面１２ａが取付部２の先端面２ａと段差なく面一状に設定され、また円弧状のガイド突起１７の左右外周端部が突起１２の先端面１２ａからはみ出して取付部２の先端面２ａまで達している（ガイド突起１７の左右外周端部が請求項９記載の堰部を構成している）ことからも、多くの油を集めることが可能とされている。
【００５９】
第六実施例・・・
図１３および図１４に示すように、突起１２の内周面１２ｂに、油を集中させるための傾斜面を設ける。また、突起１２の先端面１２ａを取付部２の先端面２ａと段差なく面一状に設定する。これらは何れもその構成および作用の詳細を既述したところであるが、何れも多くの油を集めるのに有効である。尚、可及的に多くの油を集められるよう、突起１２はその軸方向長さをできるだけ長く設定するのが好ましい。
【００６０】
第七実施例・・・
図１５および図１６（Ａ）に示すように、突起１２の先端面１２ａの内周縁１２ｃを円弧状でなくストレート形状に設定する。すなわち、比較例として示す図１６（Ｂ）のように突起１２の先端面１２ａの内周縁１２ｃをオイルシール１の中心軸線０を中心とする円弧状に設定するのではなく、同図（Ａ）に示すようにこの円弧の両端１２ｄ，１２ｅを直線で結んだ形状のストレート形状に設定する。これにより前者よりも後者の方が突起１２の先端面１２ａの表面積が大きく設定されるので、油滴Ｕの保持性が向上し、より多くの油を集めることが可能とされる。尚、比較例として示す図１６（Ｂ）のように突起１２の先端面１２ａの内周縁１２ｃが円弧の場合には、形成された油滴Ｕが円弧に沿って左右方向（円周方向）に流れる力Ｆがかかる可能性があるが、ストレートであればこのような力Ｆは生じることがなく、よって滴下する可能性が高くなると考えられる。
【００６１】
第八実施例・・・
図１７および図１８に示すように、取付部２の先端面２ａに、この取付部２の先端面２ａ上を円周方向に沿って流下する油を堰き止めて突起１２の方へ案内するための堰部１９を設ける。
【００６２】
すなわち、軸の上方（真上）部位においては、取付部２の下方に突起１２が配置されるので、取付部２の先端面２ａに付着した油は比較的容易に突起１２の方へ流れて来るが、軸の上方（真上）以外の部位においては、取付部２の下方ではなく横手または横手近傍に突起１２が配置されるので、取付部２の先端面２ａに付着した油はこの先端面２ａ上を円周方向に伝って流れていってしまうことが懸念される。そこで、この流路の途上にこの流路を遮るように堰部１９を設けることにより油が取付部２から突起１２の方へ伝わりやすくなるので、より多くの油を集めることが可能とされる。このような理由から、当該実施例では、取付部２の先端面２ａに突起１２ごとに堰部１９が設けられており、図では、堰部１９は突起１２の軸方向突出部１２ｆと両者の先端面が面一状となるよう一体に成形されている。したがってこのような堰部１９が設けられると、図１９に示すように取付部２の先端面２ａ上を円周方向に伝って流れて来た油（矢印Ｉ）が堰部１９により堰き止められて突起１２の方へ伝って行くので（矢印Ｊ）、突起１２により多くの油を集めることができる。尚、この図１７および図１８の例では、突起１２の円周方向側面１２ｇ部位にもそれぞれ、付着する油を集中させるための傾斜面が設けられているので、この点からも多くの油を集めることが可能とされている。油はこの傾斜面に沿って突起１２の先端面１２ａの方へ集められることになる（矢印Ｋ）。
【００６３】
第九実施例・・・
また、図２０に示すように、上記各実施例における突起１２による潤滑油補給機能を補助するものとして、シールリップ４の外周部位に油伝い片２０を径方向外方へ向けて一体成形し、突起１２に集められる油をこの油伝い片２０を介してシールリップ４の方へ案内し、シールリップ摺動部へ供給する。このようにシールリップ４の外周部位に油伝い片２０を径方向外方へ向けて一体成形すると、突起１２に集められる油がこの油伝い片２０を伝ってシールリップ４の方へ案内され、シールリップ４の先端面４ａを伝ってシールリップ摺動部へ供給されるために、油の供給を円滑化することが可能とされる。
【００６４】
図では、シールリップ４の先端面４ａであってその最外周部位に、径方向外方であってかつ軸方向一方へ向けて斜めに油伝い片２０が設けられている。したがって油伝い片２０はリップ状に成形されており、その機能からして薄膜で良いので成形上のバリを利用することも可能とされている。
【００６５】
油伝い片２０は、突起１２の内周側に配置されるが、突起１２の内周面１２ｂに対して接触はしておらず、両者１２，２０の間には径方向間隙が設定されている。したがって、突起１２から滴下される油（油滴）はこの油伝い片２０に受け止められ、シールリップ４の先端面４ａを伝ってシールリップ摺動部へと供給される（矢印Ｌ）。また、油伝い片２０と突起１２の径方向間隙が狭い場合や、滴下される油の粒が大きい場合には、油は突起１２から滴下される以前に突起１２から油伝い片２０へ直接受け渡されることもあり、このような場合も油は油伝い片２０からシールリップ４の先端面４ａを伝ってシールリップ摺動部へと供給される。したがって何れにしても、突起１２から油伝い片２０、シールリップ先端面４ａを経由してシールリップ摺動部へ至る油の供給経路が確保されるため、油を円滑に供給することが可能される。
【００６６】
尚、ハウジング２１に対して軸２３が偏心作動したとき、油伝い片２０が突起１２の内周面１２ａと干渉することが想定されるが、上記したように油伝い片２０は薄膜で良く柔らかいので、シールリップ４のシール作動に影響を及ぼすことはない。また、油伝い片２０は環状に設定されるが、円周上複数設けられる突起１２に対応して円周上に複数設けられればその機能を全うすることができる。環状に設定して円周上のところどころに切欠や穴の類を設けるようにしても良い。
【００６７】
第十実施例・・・
また、この油伝い片２０の形成位置は、突起１２から滴下される油を受け止めることができれば特に限定されるものではない。図２１の例では、シールリップ４の先端面４ａであってその最外周部位から若干径方向内方へ変位した位置にこの油伝い片２０が設けられている。
【図面の簡単な説明】
【００６８】
【図１】本発明の第一実施例に係るオイルシールの半裁正面図
【図２】同オイルシールの要部断面図であって図１におけるＡ−Ａ線拡大断面図
【図３】同オイルシールの要部断面図であって図１におけるＢ−Ｂ線拡大断面図
【図４】同オイルシールにおける潤滑油補給部の斜視図
【図５】本発明の第二実施例に係るオイルシールの断面図
【図６】同オイルシールにおける潤滑油補給部の斜視図
【図７】本発明の第三実施例に係るオイルシールの断面図
【図８】同オイルシールにおける潤滑油補給部の正面図であって図７におけるＣ方向矢視図
【図９】本発明の第四実施例に係るオイルシールの断面図
【図１０】同オイルシールにおける潤滑油補給部の正面図であって図９におけるＤ方向矢視図
【図１１】本発明の第五実施例に係るオイルシールの半裁断面図
【図１２】同オイルシールにおける潤滑油補給部の斜視図
【図１３】本発明の第六実施例に係るオイルシールの断面図
【図１４】同オイルシールにおける潤滑油補給部の斜視図
【図１５】本発明の第七実施例に係るオイルシールの断面図
【図１６】（Ａ）は同オイルシールにおける潤滑油補給部の正面図であって図１５におけるＥ方向矢視図、（Ｂ）は比較例に係る潤滑油補給部の正面図
【図１７】本発明の第八実施例に係るオイルシールの要部断面図
【図１８】（Ａ）は同オイルシールにおける潤滑油補給部の正面図であって図１７におけるＧ方向矢視図、（Ｂ）は同図（Ａ）におけるＨ方向矢視図
【図１９】（Ａ）および（Ｂ）とも同オイルシールにおける潤滑油補給部の作動説明図
【図２０】本発明の第九実施例に係るオイルシールの断面図
【図２１】本発明の第十実施例に係るオイルシールの断面図
【図２２】従来例に係るオイルシールの要部断面図
【符号の説明】
【００６９】
１  オイルシール
２  取付部
２ａ，４ａ，１２ａ  先端面
３  連結部
４  シールリップ
５  金属環
６  ゴム状弾性体
７  ガータースプリング
８  サブリップ
１１  潤滑油補給部
１２  突起
１２ｂ  内周面
１２ｃ  内周縁
１２ｄ，１２ｅ  内周縁両端
１２ｆ  突出部
１２ｇ  側面
１３  凹部
１３ａ  奥端壁
１４  注ぎ口
１５  フィン
１６，１７，１８  ガイド突起
１９  堰部
２０  油伝い片
２１  ハウジング
２２  軸孔
２３  軸
Ｕ  油滴
【図１】
2007309509.tif 000003
【図２】
2007309509.tif 000004
【図３】
2007309509.tif 000005
【図４】
2007309509.tif 000006
【図５】
2007309509.tif 000007
【図６】
2007309509.tif 000008
【図７】
2007309509.tif 000009
【図８】
2007309509.tif 000010
【図９】
2007309509.tif 000011
【図１０】
2007309509.tif 000012
【図１１】
2007309509.tif 000013
【図１２】
2007309509.tif 000014
【図１３】
2007309509.tif 000015
【図１４】
2007309509.tif 000016
【図１５】
2007309509.tif 000017
【図１６】
2007309509.tif 000018
【図１７】
2007309509.tif 000019
【図１８】
2007309509.tif 000020
【図１９】
2007309509.tif 000021
【図２０】
2007309509.tif 000022
【図２１】
2007309509.tif 000023
【図２２】
2007309509.tif 000024